(57)【要約】【課題】ペット載置テーブルの上に載せたペットが後ずさりして足を踏み外してしまうのを防止する。【解決手段】ペット載置テーブル2には、必要に応じて、天板20の縁に沿って延びる後ずさり防止フェンス6が設置される。後ずさり防止フェンス6は固定具62を有し、この固定具62を使って後ずさり防止フェンス6が天板20の縁部に固定される。【選択図】図1
2014018168.tif 000002
【特許請求の範囲】
【請求項１】
ペットを置く天板を備えたペット載置テーブルと、
該ペット載置テーブルの縁部に配置され、該縁部に沿って延びる後ずさり防止フェンスとを有することを特徴とするペット載置テーブルシステム。
【請求項２】
前記ペット載置テーブルが、その天板の高さ位置を調整する天板高さ調整機能を有し、
前記ペット載置テーブルの天板の上方域に位置するハーネス支持アームを更に有し、
ペットに装着したハーネスを前記ハーネス支持アームに係止可能である、請求項１に記載のペット載置テーブルシステム。
【請求項３】
請求項１又は２に記載の前記ペット載置テーブルシステムに含まれる後ずさり防止フェンス。
【発明の詳細な説明】
【技術分野】
【０００１】
本発明は、ペット診察台、ペット美容台などのペットを置くためのペット載置テーブルシステム及び後ずさり防止フェンスに関する。
【背景技術】
【０００２】
動物病院ではペット診察台の上にペットを置いた状態で診察が行われている。また、ペットサロンではペット美容台の上にペットを置いた状態でトリミングが行われている。
【０００３】
ペット診察台、ペット美容台は平らなテーブルであり、獣医師やペット美容師が立った姿勢でペットの診察やトリミングを行う。ペットは例えば大型犬と小型犬では大きさが極端に違うが、ペットの大きさに応じたペット載置テーブルを用意するのもスペースの関係から実際的ではない。
【０００４】
加えて、ペット載置テーブルの上に置かれたペットは神経質になっていることもあって、不意な挙動を起こすこともあり、ペット載置テーブルからペットが落ちないように注意を払う必要がある。
【発明の概要】
【発明が解決しようとする課題】
【０００５】
本発明の目的は、警戒心を持ったペットが後ずさりして足を踏み外してしまうのを防止できるペット載置テーブルシステム及び後ずさり防止フェンスを提供することにある。
【課題を解決するための手段】
【０００６】
上記の技術的課題は、本発明によれば、
ペットを置く天板を備えたペット載置テーブルと、
該ペット載置テーブルの縁部に配置され、該縁部に沿って延びる後ずさり防止フェンスとを有することを特徴とするペット載置テーブル及び後ずさり防止フェンスを提供することにより達成される。
【０００７】
本発明によれば、ペット載置テーブルに載せたペットを処置するときに後ずさりするペットがフェンスに足が当たることで後ずさりを止めさせることができる。
【０００８】
本発明の実施形態では、好ましくは、ペット載置テーブルが天板の高さ位置を上下させる高さ調整機能を有する。また、ペット載置テーブルの天板の上方域にハーネス支持アームを備えている。ペットに装着したハーネスをハーネス支持アームに係止させた後に、ペット載置テーブルの天板の高さ位置を下げることでハーネスをハーネス支持アームで吊り下げた状態に調整できる。
【０００９】
本発明の他の目的及び作用効果は、後の好ましい実施例の説明から明らかになろう。
【図面の簡単な説明】
【００１０】
【図１】ペット載置テーブルシステムの全体構成を説明するための斜視図である。
【図２】ペット載置テーブルシステムに含まれるハーネス支持アームの変形例を説明するためのペット載置テーブルシステムの斜視図である。
【図３】ペット載置テーブルシステムに含まれる後ずさり防止フェンスの変形例を説明するための図であり、伸縮可能な防止フェンスを拡張した状態を示す。
【図４】ペット載置テーブルシステムに含まれる後ずさり防止フェンスの変形例を説明するための図であり、伸縮可能な防止フェンスが短縮した状態を示す。
【図５】後ずさり防止フェンスの他の変形例を説明するための図であり、平面視Ｌ字状のフェンスを示す。
【図６】後ずさり防止フェンスの更に別の変形例を説明するための図であり、長手方向両端が湾曲した形状のフェンスを示す。
【図７】図６に図示の後ずさり防止フェンスの斜視図である。
【図８】図７に図示の両端部が湾曲したフェンスの平面図である。
【図９】図７の両端部が湾曲したフェンスの正面図である。
【図１０】図７の両端部が湾曲したフェンスの背面図である。
【図１１】図７の両端部が湾曲したフェンスの側面図である。
【図１２】図７の両端部が湾曲したフェンスの底面図である。
【図１３】図９のＡ−Ａ’線に沿った断面図である。
【図１４】ペット載置テーブルシステムに含まれる後ずさり防止フェンスの他の実施例を説明するための図である。
【図１５】ペット載置テーブルシステムに含まれる後ずさり防止フェンスの更に別の実施例を説明するための図である。
【図１６】図１５に図示の後ずさり防止フェンスの斜視図である。
【図１７】図１６に図示のフェンスの平面図である。
【図１８】図１６に図示のフェンスの正面図である。
【図１９】図１６に図示のフェンスの背面図である。
【図２０】図１６に図示のフェンスの側面図である。
【図２１】図１６に図示のフェンスの底面図である。
【図２２】図１８のＢ−Ｂ’線に沿った断面図である。
【発明を実施するための形態】
【実施例】
【００１１】
以下に、添付の図面に基づいて本発明の好ましい実施例を説明する。図１は実施例のペット載置テーブルシステムを示す。ペット載置テーブルシステム１００は、ペット載置テーブル２と、ハーネス支持アーム４と、後ずさり防止フェンス６とで構成されている。ペット載置テーブル２はペットＰを載置する天板２０を有し、この天板２０はハンドル２２を操作することにより、その高さを調整することができる。
【００１２】
ハーネス支持アーム４は、テーブル２の天板２０の上方域を横方向に延びる水平アーム部４０を有し、この水平アーム部４０の高さ位置はテレスコピック式のネジ止め可能な高さ調整手段４２によって調整可能であるが、このネジ止め可能な高さ調整手段４２を省いてもよい。水平アーム部４０には複数のハーネス位置決め部４４が設けられており、任意のハーネス位置決め部４４を使ってハーネスＨが位置決めされる。ハーネス支持アーム４は、テーブル２とは別に独立していてもよいし、図２に示すようにテーブル２の縁部に脱着可能に固定するようにしてもよい。
【００１３】
年老いたペットＰ（典型的には老犬）などを診療するときには、必要に応じてハーネスＨをペットＰに装着して、このハーネスＨをハーネス支持アーム４に支持させるが、その際に、ハーネスＨが丁度良い吊り状態となるように、ハンドル２２を操作してテーブル２の天板２０の高さ位置を下げる。具体的には、ハーネスＨを装着したペットＰをテーブル２の天板２０の上に載せ、そして、ハーネスＨをハーネス支持アーム４に係止させた後にハンドル２２を操作して天板２０の高さ位置を下げることで、ハーネスＨをハーネス支持アーム４に吊り下げた状態にすることができる。
【００１４】
ペット載置テーブル２には、必要に応じて、天板２０の縁に沿って延びる後ずさり防止フェンス６が設置される。後ずさり防止フェンス６は固定具６２を有し、この固定具６２を使って後ずさり防止フェンス６がペット載置テーブル２の天板２０の縁部に固定される。この後ずさり防止フェンス６は、ハーネスＨ及びハーネス支持アーム４無しで使用してもよい。
【００１５】
後ずさり防止フェンス６の設置位置は任意であり、日常とは違うテーブル２に置かれて神経質になっているペットＰが後ずさりしたときに足がフェンス６に当たることで、更なる後ずさりによって足を天板２０から踏み外すのを防止できる効果がある。
【００１６】
図１、図２に図示の後ずさり防止フェンス６は一本の真っ直ぐな棒状であるが、このフェンス６の形状や構造として様々な形態が考えられる。図３、図４は長手方向に伸縮可能な変形例のフェンス６４を示す。このフェンス６４は長手方向に３分割の構造を有し、中間部分６４ａに対して端部材６４ｂ、６４ｃをテレスコピック式に出し入れすることで長さ調整可能であり、典型的には、図３に図示の長尺モードと、図４に図示の短尺モードとをとることができる。図５は、他の変形例である平面視Ｌ字状の後ずさり防止フェンス７０を示す。
【００１７】
図６は更なる変形例の後ずさり防止フェンス７４を装着したペット載置テーブル２を示す。図７は、図６に図示の後ずさり防止フェンス７４の斜視図である。図８は、図６に図示の後ずさり防止フェンス７４の平面図であり、図９は、この後ずさり防止フェンス７４の正面図であり、図１０は背面図である。図１１は、後ずさり防止フェンス７４の側面図であり、後ずさり防止フェンス７４の右側面と左側面は実質的に同じである。図１２は後ずさり防止フェンス７４の底面図である。図１３は、図９に示すＡ-Ａ’線に沿って切断した後ずさり防止フェンス７４の断面図である。
【００１８】
図１４は、他の実施例の後ずさり防止フェンス７６を装着したペット載置テーブル２を示す。このフェンス７６は、透明のプラスチック板で構成されている。
【００１９】
図１５〜図２２は、更に他の実施例の後ずさり防止フェンス８０を示す。図１５は長さの異なるフェンス８０、８０’を装着したペット載置テーブルを示す。図１６は後ずさり防止フェンス８０の斜視図である。図１７はその平面図である。図１８は、後ずさり防止フェンス８０の正面図であり、図１９はその背面図である。図２０は、後ずさり防止フェンス８０の側面図であり、後ずさり防止フェンス８０の右側面と左側面は実質的に同じである。図２１は後ずさり防止フェンス８０の底面図である。図２２は、図１８に示すＢ-Ｂ’線に沿って切断した後ずさり防止フェンス８０の断面図である。
【００２０】
図１５〜図２２から分かるように後ずさり防止フェンス８０は周囲フレームの中に上下に間隔を隔てて配置された複数の横棒を備えており、このフェンス８０はステンレス管で構成されているが、プラスチックパイプで構成してもよい。勿論、後ずさり防止フェンス８０は中実の材料で構成してもよい。
【産業上の利用可能性】
【００２１】
本発明はペット診察台、ペット美容台などペットをテーブルの上に置いて処置するのに好適に適用可能である。
【符号の説明】
【００２２】
２  ペット載置テーブル
４  ハーネス支持アーム
６  後ずさり防止フェンス
２０  ペット載置テーブルの天板
２２  ペット載置テーブルの天板の高さを調整するためのハンドル
Ｐ  ペット
【図１】
2014018168.tif 000003
【図２】
2014018168.tif 000004
【図３】
2014018168.tif 000005
【図４】
2014018168.tif 000006
【図５】
2014018168.tif 000007
【図６】
2014018168.tif 000008
【図７】
2014018168.tif 000009
【図８】
2014018168.tif 000010
【図９】
2014018168.tif 000011
【図１０】
2014018168.tif 000012
【図１１】
2014018168.tif 000013
【図１２】
2014018168.tif 000014
【図１３】
2014018168.tif 000015
【図１４】
2014018168.tif 000016
【図１５】
2014018168.tif 000017
【図１６】
2014018168.tif 000018
【図１７】
2014018168.tif 000019
【図１８】
2014018168.tif 000020
【図１９】
2014018168.tif 000021
【図２０】
2014018168.tif 000022
【図２１】
2014018168.tif 000023
【図２２】
2014018168.tif 000024